(57)【特許請求の範囲】
【請求項１】
互いに向かい合う内表面および外表面と、複数の開口と、収容空間とを有する絶縁カバーを提供することと、
前記絶縁カバーの前記外表面にパターン化金属層を形成することと、
前記パターン化金属層の上に表面処理層を形成することと、
前記絶縁カバーの前記収容空間内に放熱素子を形成し、前記絶縁カバーに構造的に接続することと、
を含み、
前記放熱素子の表面に導熱層を形成して、前記絶縁カバーの前記開口が前記導熱層の一部を露出するパッケージキャリアの製造方法。
【請求項２】
前記絶縁カバーが、複数の触媒粒子を含み、前記パターン化金属層を形成する方法が、前記触媒粒子の一部を活性化して、前記パターン化金属層を形成することを含む請求項１記載のパッケージキャリアの製造方法。
【請求項３】
前記パターン化金属層を形成する方法が、化学めっき法、又はスパッタリングのいずれかである請求項１記載のパッケージキャリアの製造方法。
【請求項４】
前記絶縁カバーを形成する方法が、射出成形を含む請求項１記載のパッケージキャリアの製造方法。
【請求項５】
前記放熱素子が、ヒートシンクまたはヒートパイプを含む請求項１記載のパッケージキャリアの製造方法。
【請求項６】
前記導熱層の材料が、銅、金または銀を含む請求項１記載のパッケージキャリアの製造方法。
【請求項７】
少なくとも１つの発熱素子を保持するパッケージキャリアであって、
互いに向かい合う内表面および外表面と、複数の開口と、収容空間とを有する絶縁カバーと、
前記絶縁カバーの前記外表面に配置されたパターン化金属層と、
前記パターン化金属層の上に配置された表面処理層と、
前記絶縁カバーの前記収容空間内に配置され、前記絶縁カバーに構造的に接続された放熱素子と、
前記放熱素子の表面に配置された導熱層と、
を含み、
前記導熱層の一部が、前記放熱素子と前記絶縁カバーの間に設置され、
前記絶縁カバーの前記開口が、前記導熱層の一部を露出し、
前記少なくとも１つの発熱素子が、前記開口のうち対応する開口によって露出した前記部分の前記導熱層に配置されたパッケージキャリア。
【請求項８】
前記放熱素子が、ヒートシンクまたはヒートパイプを含む請求項７記載のパッケージキャリア。
【請求項９】
前記導熱層の材料が、銅、金または銀を含む請求項７記載のパッケージキャリア。
【請求項１０】
前記絶縁カバーが、複数の触媒粒子を含む請求項７記載のパッケージキャリア。
【発明の詳細な説明】
【技術分野】
【０００１】
本発明は、半導体構造およびその製造方法に関するものであり、特に、パッケージキャリアおよびその製造方法に関するものである。
【背景技術】
【０００２】
チップパッケージは、チップに適切な信号および熱伝送経路を提供して、チップ構造を保護するものである。従来のワイヤボンディング（wire bonding）技術を適用する時は、通常、チップのキャリア（carrier）としてリードフレーム（leadframe）を使用する。チップの接触密度が次第に高くなるにつれて、リードフレームは接触密度をそれ以上高めることができなくなるため、好ましい接触密度を達成することのできるパッケージ構造で置き換えることができる。また、チップは、金属導線またはバンプ（bump）等の導電媒体によって、パッケージ構造に実装される。
【０００３】
最も一般的な発光ダイオード（light emitting diode, LED）パッケージ構造では、ＬＥＤチップを使用する前にＬＥＤチップを実装する必要があり、ＬＥＤチップは、発光する時に大量の熱を生成する。熱が放散されずにＬＥＤパッケージ構造内に蓄積され続けると、ＬＥＤパッケージ構造の温度が次第に上昇するため、ＬＥＤチップが熱くなり過ぎて、輝度減退や、寿命の短縮、さらには永久的に損傷する可能性もある。そのため、通常、既存のＬＥＤパッケージ構造にヒートシンク（heat sink）を設置して、ＬＥＤチップの熱を放散させる。
【発明の概要】
【発明が解決しようとする課題】
【０００４】
従来のパッケージ構造は、複数のパターン化導電層と少なくとも１つの絶縁層で構成される。絶縁層は、２つの隣接したパターン化導電層の間に配置され、電気絶縁を行う。ヒートシンクは、接着層を介してパッケージ構造の底面に固定される。ほとんどの場合、ＬＥＤチップは、パッケージ構造に電気接続され、ＬＥＤチップによって生成された熱は、パターン化導電層および絶縁層からヒートシンクに伝導される。しかし、接着層および絶縁層の熱伝導率は良くないため、ＬＥＤチップによって生成された熱が絶縁層および接着層を介してヒートシンクに伝導された時に、熱抵抗（thermal resistance）が増加して、熱の放散が十分に行われない。そのため、ＬＥＤチップによって生成された熱をどのようにして効率良く外部環境に放散するかが、この分野における研究者および設計者の重要な課題となっている。
【課題を解決するための手段】
【０００５】
本発明は、発熱素子を保持したパッケージキャリアを提供する。
【０００６】
本発明は、さらに、パッケージキャリアの製造方法を提供する。この方法を適用することによって、上述したパッケージキャリアを形成することができる。
【０００７】
本発明のある実施形態中、パッケージキャリアの製造方法は、以下のステップを含む。絶縁カバーを提供する。絶縁カバーは、互いに向かい合う内表面および外表面と、複数の開口と、収容空間とを有する。絶縁カバーの外表面にパターン化金属層を形成する。パターン化金属層の上に表面処理層を形成する。絶縁カバーの収容空間内に放熱素子を形成する。放熱素子は、絶縁カバーに構造的に接続される。放熱素子の表面に導熱層を形成し、絶縁カバーの開口が導熱層の一部を露出する。
【０００８】
本発明のある実施形態中、絶縁カバーは、複数の触媒粒子を含み、パターン化金属層を形成する方法は、触媒粒子の一部を活性化して、パターン化金属層を形成することを含む。
【０００９】
本発明のある実施形態中、パターン化金属層を形成する方法は、電気めっきを含む。
【００１０】
本発明のある実施形態中、絶縁カバーを形成する方法は、射出成形を含む。
【００１１】
本発明のある実施形態中、放熱素子は、ヒートシンクまたはヒートパイプを含む。
【００１２】
本発明のある実施形態中、導熱層の材料は、銅、金または銀を含む。
【００１３】
本発明のある実施形態中、少なくとも１つの発熱素子を搬送するパッケージキャリアを提供する。パッケージキャリアは、絶縁カバーと、パターン化金属層と、表面処理層と、放熱素子と、導熱層とを含む。絶縁カバーは、互いに向かい合う内表面および外表面と、複数の開口と、収容空間とを有する。パターン化金属層は、絶縁カバーの外表面に配置される。表面処理層は、パターン化金属層の上に配置される。放熱素子は、絶縁カバーの収容空間内に配置され、絶縁カバーに構造的に接続される。導熱層は、放熱素子の表面に配置され、導熱層の一部は、放熱素子と絶縁カバーの間に設置される。絶縁カバーの開口は、導熱層の一部を露出し、少なくとも１つの発熱素子は、開口のうち対応する開口によって露出した部分の導熱層に配置される。
【００１４】
本発明のある実施形態中、放熱素子は、ヒートシンクまたはヒートパイプを含む。
【００１５】
本発明のある実施形態中、導熱層の材料は、銅、金または銀を含む。
【００１６】
本発明のある実施形態中、絶縁カバーは、複数の触媒粒子を含む。
【発明の効果】
【００１７】
以上のように、本発明のパッケージキャリアは、絶縁カバーの収容空間内に放熱素子を配置して、絶縁カバーの開口が導熱層の一部を露出する。そのため、発熱素子をパッケージキャリアに配置した時、発熱素子によって生成された熱は、導熱層と放熱素子を介して直接外部環境に急速に伝送される。このようにして、本発明のパッケージキャリアは、発熱素子によって生成された熱を効果的に放散させることができ、発熱素子の効率と寿命の両方を向上させることができる。さらに、本発明のパッケージキャリアの周辺に発熱素子を配置することによって、三次元多面体の発光効果を達成することができる。
【００１８】
本発明の上記および他の目的、特徴、および利点をより分かり易くするため、図面と併せた幾つかの実施形態を以下に説明する。
【図面の簡単な説明】
【００１９】
【図１Ａ】本発明の実施形態に係るパケージキャリアの製造方法を示した概略的断面図である。
【図１Ｂ】本発明の実施形態に係るパケージキャリアの製造方法を示した概略的断面図である。
【図１Ｃ】本発明の実施形態に係るパケージキャリアの製造方法を示した概略的断面図である。
【図１Ｄ】本発明の実施形態に係るパケージキャリアの製造方法を示した概略的断面図である。
【図１Ｅ】本発明の実施形態に係るパッケージキャリアを示した概略的断面図である。
【図２】図１Ｄのパッケージキャリアが発熱素子を保持している状態を示した概略的断面図である。
【発明を実施するための形態】
【００２０】
図１Ａ〜図１Ｄは、本発明の実施形態に係るパケージキャリアの製造方法を示した概略的断面図である。図１Ａを参照すると、本実施形態のパッケージキャリアの製造方法は、まず、絶縁カバー１１０を提供する。絶縁カバー１１０は、互いに向かい合う内表面１１２および外表面１１４と、収容空間１１６と、複数の開口１１８とを有する。絶縁カバー１１０は、例えば、「ｎ」や
0005436596.tif 000002
の文字のような形状をしており、絶縁カバー１１０は、さらに、複数のロック部１１９を有する。注意すべきこととして、本発明の別の実施形態において、絶縁カバー１１０は、ロック部１１９を備えていなくてもよい。また、絶縁カバー１１０は、例えば、射出成形（injection molding）によって形成される。
【００２１】
図１Ｂを参照すると、絶縁カバー１１０の外表面１１４の一部にパターン化金属層１２０を形成する。ここで、パターン化金属層１２０は、例えば、化学めっき法やスパッタリング等によって生成される。図示していない別の実施形態において、絶縁カバーが複数の触媒粒子を含む場合、絶縁カバーの外表面をレーザー光線で照射することによって、触媒粒子の一部を活性化し、パターン化金属層を形成してもよい。
【００２２】
図１Ｃを参照すると、パターン化金属層１２０の上に表面処理層１３０を形成する。表面処理層１３０は、パターン化金属層１２０を完全に覆い、表面処理層１３０の形成方法は、電気めっきを含む。ここで、表面処理層１３０は、例えば、ニッケル層、金層、またはニッケル−金複合層で構成される。
【００２３】
図１Ｄを参照すると、絶縁カバー１１０の収容空間１１６内に放熱素子１４０ａを形成し、絶縁カバー１１０に構造的に接続する。ここで、放熱素子１４０ａは、例えば、絶縁カバー１１０にロックされたロック部１１９を介して、絶縁カバー１１０に固定される。もちろん、図示していない別の実施形態において、放熱素子１４０ａと絶縁カバー１１０をスクリュー、接着剤、低温溶融または電気めっきによって接続してもよいが、本発明はこれらに限定されない。ここまでで、パッケージキャリア１００の製造が実質的に完了する。
【００２４】
さらに詳しく説明すると、本実施形態の放熱素子１４０ａの表面には導熱層１５０が既に形成され、絶縁カバー１１０の開口１１８が導熱層１５０の一部を露出する。放熱素子１４０ａは、突出部１４２と、突出部１４２に接続された複数のフィン１４４とを含み、突出部１４２は、収容空間１１６内に配置される。ここで、前記導熱層１５０の材料は、銅、金または銀を含む。ここでの放熱素子１４０ａは、突出部１４２とフィン１４４によって構成されるが、言及すべきこととして、放熱素子１４０ａの種類は、本実施形態において限定されない。図示していない別の実施形態において、放熱素子は、フィンを有さないヒートシンクであってもよい。あるいは、図１Ｅに示すように、パッケージキャリア１００ｂの放熱素子１４０ｂは、ヒートパイプであってもよい。つまり、本実施形態の放熱素子１４０ａの種類は単なる例であって、本発明はこれらに限定されない。
【００２５】
図１Ｄに示すように、本実施形態のパッケージキャリア１００は、構造的に、絶縁カバー１１０と、パターン化金属層１２０と、表面処理層１３０と、放熱素子１４０ａと、導熱層１５０とを含む。絶縁カバー１１０は、互いに向かい合う内表面１１２および外表面１１４と、収容空間１１６と、開口１１８と、ロック部１１９とを有する。パターン化金属層１２０は、絶縁カバー１１０の外表面１１４に配置される。表面処理層１３０は、パターン化金属層１２０の上に配置される。放熱素子１４０ａは、絶縁カバー１１０の収容空間１１６内に配置され、絶縁カバー１１０に構造的に接続される。導熱層１５０は、放熱素子１４０ａの表面に配置され、導熱層１５０の一部は、放熱素子１４０ａと絶縁カバー１１０の間に設置される。絶縁カバー１１０の開口１１８は、導熱層１５０の一部を露出する。
【００２６】
図２は、図１Ｄのパッケージキャリアが発熱素子を保持している状態を示した概略的断面図である。図２を参照すると、本実施形態のパッケージキャリア１００は、少なくとも１つの発熱素子１０を保持するのに適する。図２において、５つの発熱素子１０を概略的に示す。発熱素子１０は、対応する開口１１８によって露出した部分の導熱層１５０の上に配置される。また、発熱素子１０は、例えば、電気チップまたは光電素子でもよいが、本発明はこれらに限定されない。例えば、電気チップは、ＩＣ（integrated circuit）チップであってもよく、例えば、チップモジュール（chip module）またはグラフィックチップ（graphic chip）やメモリチップ（memory chip）等を含むチップであってもよい。光電素子は、例えば、ＬＥＤ、レーザーダイオード、または気体放電光源である。本実施形態において、発熱素子１０は、例えば、ＬＥＤである。
【００２７】
特に、発熱素子１０（例えば、ＬＥＤ）は、複数のボンディングワイヤ２０を介して、パターン化金属層１２０の上の表面処理層１３０に電気接続されてもよい。また、発熱素子１０、ボンディングワイヤ２０およびパッケージキャリア１００の一部を成形コンパウンド（molding compound）３０で封入することによって、発熱素子１０、ボンディングワイヤ２０およびパッケージキャリア１００の間の電気接続を確保してもよい。本実施形態の発熱素子１０は、開口１１８によって露出した導熱層１５０の一部に配置されるため、発熱素子１０は、パッケージキャリア１００の周辺に構成されてもよい。このようにして、三次元多面体の発光効果を達成することができるため、つまり、パッケージキャリアは、前面と側面の発光効果を達成することができる。
【００２８】
さらに、放熱素子１４０ａは、絶縁カバー１１０の収容空間１１６内に配置され、絶縁カバー１１０の開口１１８は、導熱層１５０の一部を露出する。そのため、発熱素子１０をパッケージキャリア１００の導熱層１５０の一部に配置した時、発熱素子１０によって生成された熱は、導熱層１５０と放熱素子１４０ａを介して直接外部環境に急速に伝送される。このようにして、本実施形態のパッケージキャリア１００は、発熱素子１０によって生成された熱を効果的に放散させることができ、放熱素子１０の効率と寿命の両方を向上させることができる。
【００２９】
また、絶縁カバー１１０は、放熱素子１４０ａの上に配置される。そのため、発熱素子１０（すなわち、ＬＥＤ）がボンディングワイヤ２０を介してパターン化金属層１２０の上の表面処理層１３０に電気接続された時、絶縁カバー１１０がパターン化金属層１２０の上の表面処理層１３０を絶縁カバー１１０の下にある導熱層１５０から電気的に絶縁することによって、短絡現象を防ぐことができる。
【００３０】
以上のように、本発明のパッケージキャリアは、絶縁カバーの収容空間内に放熱素子を配置して、絶縁カバーの開口が導熱層の一部を露出する。そのため、発熱素子をパッケージキャリアに配置した時、発熱素子によって生成された熱は、導熱層と放熱素子を介して直接外部環境に急速に伝送される。このようにして、本発明のパッケージキャリアは、発熱素子によって生成された熱を効果的に放散させることができ、放熱素子の効率と寿命の両方を向上させることができる。さらに、本発明のパッケージキャリアの周辺に発熱素子を配置することによって、三次元多面体の発光効果を達成することができる。つまり、パッケージキャリアは、前面と側面の発光効果を達成することができるため、幅広く応用することが可能になる。
【００３１】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００３２】
本発明は、パッケージキャリアおよびその製造方法に関するものである。このパッケージキャリアの製造方法は、LEDチップ等の発熱素子をパッケージするために使用することができる。
【００３３】
１０    発熱素子
２０    ボンディングワイヤ
３０    成形コンパウンド
１００、１００ｂ    パッケージキャリア
１１０    絶縁カバー
１１２    内表面
１１４    外表面
１１６    収容空間
１１８    開口
１１９    ロック部
１２０    パターン化金属層
１３０    表面処理層
１４０ａ、１４０ｂ    放熱素子
１４２    突出部
１４４    フィン
１５０    導熱層
【図１Ａ】
0005436596.tif 000003
【図１Ｂ】
0005436596.tif 000004
【図１Ｃ】
0005436596.tif 000005
【図１Ｄ】
0005436596.tif 000006
【図１Ｅ】
0005436596.tif 000007
【図２】
0005436596.tif 000008